【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
哺乳動物の感覚器内にニューロトロフィンを放出できる埋め込み型装置；および
該感覚器内に前記ニューロトロフィンの少なくとも１つの分解阻害剤を放出できる埋め込み型装置、
を含むシステム。
【請求項２】
該ニューロトロフィンを放出する該装置、および該ニューロトロフィンの分解阻害剤を放出する該装置が同じ装置である、請求項１記載のシステム。
【請求項３】
該ニューロトロフィンを放出できる該埋め込み型装置が、該ニューロトロフィンの放出を長期にわたり調節するための手段を含む、請求項１記載のシステム。
【請求項４】
該ニューロトロフィンの少なくとも１つの分解阻害剤を放出できる該埋め込み型装置が、少なくとも１つの阻害剤の放出を長期にわたり調節するための手段を含む、請求項１記載のシステム。
【請求項５】
該埋め込み型装置の少なくとも１つをコントロールできる外部コントローラー；および該埋め込まれた装置または装置類と該外部コントローラーとの連結部、
をさらに含む、請求項１記載のシステム。
【請求項６】
前記連結部が無線連結部である、請求項５記載のシステム。
【請求項７】
前記外部コントローラーにマイクロプロセッサーが含まれる、請求項５記載のシステム。
【請求項８】
該ニューロトロフィンの放出を長期にわたりモニターできる検出装置、
をさらに含む、請求項１記載のシステム。
【請求項９】
該ニューロトロフィンの少なくとも１つの分解阻害剤の放出を長期にわたりモニターで
きる検出装置、
をさらに含む、請求項１記載のシステム。
【請求項１０】
該感覚器において治療効果のある範囲内で該ニューロトロフィン濃度を画像化できる映
像装置
をさらに含む、請求項８記載のシステム。
【請求項１１】
哺乳動物の神経支持組織内で神経支持物質を放出できる埋め込み型装置、
をさらに含む、請求項８記載のシステム。
【請求項１２】
哺乳動物の神経支持組織の周辺に神経支持物質を放出できる埋め込み型装置、
をさらに含む、請求項８記載のシステム。
【請求項１３】
少なくとも１つのニューロトロフィンを放出できるニューロトロフィン放出装置；
該ニューロトロフィンの少なくとも１つの分解阻害剤を放出できる阻害剤の放出装置；
該ニューロトロフィンおよび該分解阻害剤の少なくとも１つの放出を調節できるコントロ
ーラー；および
前記コントローラーおよび、前記ニューロトロフィン放出装置と前記阻害剤放出装置の少
なくとも１つ、との間の連結部、
を含むシステム。
【請求項１４】
前記連結部を経由して、前記ニューロトロフィン放出装置と前記阻害剤放出装置の少な
くとも１つに伝えられる、少なくとも１つのコントロール信号を該コントローラーが発生
する、請求項１３記載のシステム。
【請求項１５】
前記連結部が無線連結部である、請求項１３記載のシステム。
【請求項１６】
前記ニューロトロフィン放出装置が前記ニューロトロフィンの貯蔵器を含む、請求項１
３記載のシステム。
【請求項１７】
前記阻害剤放出装置が前記阻害剤の貯蔵器を含む、請求項１３記載のシステム。
【請求項１８】
前記ニューロトロフィン放出装置および前記阻害剤放出装置を哺乳動物の体内に移植で
きる、請求項１３記載のシステム。
【請求項１９】
前記ニューロトロフィン放出装置および前記阻害剤放出装置の少なくとも１つを哺乳動
物の感覚器内に移植できる、請求項１３記載のシステム。
【請求項２０】
前記ニューロトロフィン放出装置および前記阻害剤放出装置の少なくとも１つを哺乳動
物の感覚器の周辺に移植できる、請求項１３記載のシステム。
【請求項２１】
前記ニューロトロフィン放出装置および前記阻害剤放出装置の少なくとも１つを哺乳動
物の中枢神経系内に移植できる、請求項１３記載のシステム。
【請求項２２】
前記ニューロトロフィン放出装置および前記阻害剤放出装置の少なくとも１つを哺乳動
物の中枢神経系の周辺に移植できる、請求項１３記載のシステム。
【請求項２３】
前記ニューロトロフィン放出装置および前記阻害剤放出装置の少なくとも１つを哺乳動
物の神経支持組織内に移植できる、請求項１３記載のシステム。
【請求項２４】
前記ニューロトロフィン放出装置および前記阻害剤放出装置の少なくとも１つを哺乳動
物の神経支持組織の周辺に移植できる、請求項１３記載のシステム。
【請求項２５】
該記ニューロトロフィンの濃度を感知できる検出器をさらに含む、請求項１３記載のシ
ステム。
【請求項２６】
該コントローラーと該検出器との連結部をさらに含む、請求項２５記載のシステム。
【請求項２７】
該検出器からの情報を受信するように構成されており、および該検出器からの情報を表
示できる映像装置をさらに含む、請求項２５記載のシステム。
【請求項２８】
ニューロトロフィンの濃度を調節するシステムであって：
ａ．被験体の神経系部位内で前記ニューロトロフィン濃度を検出できる検出器；
ｂ．目標濃度を保存できる記憶装置；
ｃ．前記検出濃度を前記目標濃度に調節するための放出すべき組成物の量を計算するために、前記検出濃度を前記目標濃度と比較できる処理装置；
ｄ．前記計算量を示すコントロール信号を発生できるコントロール信号発生装置；および
ｅ．前記コントロール信号によって前記感覚器の周辺で前記組成物の放出を調節できるコ
ントロールした放出装置、
を含むシステム。
【請求項２９】
前記計算量が、一定の時間間隔にわたって放出されることになり、前記コントロールした放出装置が前記組成物の放出速度をコントロールする請求項２８記載のシステム。
【請求項３０】
前記コントロールした放出装置が前記組成物を含む貯蔵器をさらに含む、請求項２８記載のシステム。
【請求項３１】
前記組成物が前記ニューロトロフィンを含む、請求項２８記載のシステム。
【請求項３２】
前記組成物が前記ニューロトロフィンと少なくとも１つの追加のニューロトロフィンを
含む、請求項２８記載のシステム。
【請求項３３】
前記組成物が前記ニューロトロフィン分解阻害剤を含む、請求項２８記載のシステム。
【請求項３４】
前記組成物が少なくとも１つのニューロトロフィンをさらに含む、請求項３３記載のシステム。
【請求項３５】
前記組成物が少なくとも１つの追加のニューロトロフィンをさらに含む、請求項３４記載のシステム。
【請求項３６】
前記組成物が神経支持物質を含む、請求項２８記載のシステム。
【請求項３７】
前記ニューロトロフィンがｃＡＭＰである、請求項２８記載のシステム。
【請求項３８】
該記憶装置がさらにタイムスケジュールを保存できる、請求項２８記載のシステム。
【請求項３９】
該記憶装置がさらにタイムスケジュールに関連した一連の濃度を保存できる、請求項２８記載のシステム。
【請求項４０】
神経系の前記部位が感覚器である、請求項２８記載のシステム。
【請求項４１】
前記感覚器が聴覚、嗅覚、視覚、または体性感覚である、請求項４０記載のシステム。
【請求項４２】
神経系の前記部位が前記被験体の末梢神経系内にある、請求項２８記載のシステム。
【請求項４３】
神経系の前記部位が前記被験体の中枢神経系内にある、請求項２８記載のシステム。
【請求項４４】
前記処理装置が前記検出器と前記コントロールされた放出装置から距離を置いて位置している、請求項２８記載のシステム。
【請求項４５】
ニューロトロフィンの濃度を調節するシステムであって：
ａ．哺乳動物の感覚器の周辺で該ニューロトロフィンの濃度を検出できる検出器；
ｂ．前記検出濃度をフィードバック信号で表示できるフィードバック信号発生装置；
ｃ．前記フィードバック信号を遠隔処理装置に送信するように構成された送信器；
ｄ．前記遠隔処理装置からコントロール信号を受信するように構成された受信機；および
ｅ．前記感覚器の周辺で前記ニューロトロフィンの濃度を調節できる組成物を放出するた
めに、前記感覚器の周辺で埋め込んであり、前記コントロール信号によって制御でき
るコントロールした放出装置、
を含むシステム。